(57)【特許請求の範囲】
【請求項１】
発熱要素を含む電気部品が収容された本体筐体の内部に、隔壁によって他の内部空間に対して液密に区画された放熱室が形成され、
前記放熱室内に、放熱部と前記放熱部に対して送風する冷却ファンが配置され、
外気を前記放熱室内に導入する、前記本体筐体に設けられた吸気口と、前記隔壁に形成された吸気用通気孔と、前記吸気口と前記吸気用通気孔とを連通させる通風路、および、前記冷却ファンによる送風空気流を外部に排出する、前記本体筐体に設けられた排気口と、前記隔壁に形成された排気用通気孔とを備え、
前記通気路は、前記吸気用通気孔から前記本体筐体の側壁を貫通して前記本体筐体の外部まで延在し、かつ前記本体筐体の前記内部空間との間を封止壁により液密に封止して設けられ、
前記通気路内には、その流路方向に延在させて設けられた板状のリブが、前記吸気用通気孔の横方向に複数本配列されて前記通気路を複数本の流路に分割していることを特徴とする電子装置。
【請求項２】
前記放熱室は前記本体部筐体の平面形状におけるコーナー部に設けられ、前記吸気口は前記コーナー部の一辺を形成する側壁部に配置され、前記排気口は前記吸気口が配置された辺と交差する辺を形成する側壁部に配置されている請求項１に記載の電子装置。
【請求項３】
前記放熱室を区画する前記隔壁は、前記本体筐体とは別体の隔壁部材により形成され、前記隔壁部材は、前記放熱室を包囲して閉鎖空間を形成している請求項１に記載の電子装置。
【請求項４】
前記放熱室を区画する前記隔壁の一部が、前記本体筐体を内方に延在させて形成されている請求項１に記載の電子装置。
【請求項５】
前記隔壁の少なくとも一面は、着脱自在に装着された蓋部材を含む請求項１に記載の電子装置。
【請求項６】
前記吸気口は、当該電子装置の使用時の戴置姿勢における前記本体筐体の底面または上面の何れかに設けられた第１吸気口と、前記本体筐体の側面に設けられた第２吸気口とを含む請求項１に記載の電子装置。
【請求項７】
前記第１吸気口は、前記本体筐体の底面から前記本体筐体の上面側に向かって傾斜した傾斜面部を含む請求項６に記載の電子装置。
【請求項８】
前記第２吸気口は、前記第１吸気口と連続している請求項６に記載の電子装置。
【請求項９】
前記本体筐体の一側壁に、互いに間隔を設けて配置され当該側壁の外側に小空間を形成するように突出している一対のグリップ保持部を備え、
当該電子装置を持ち運ぶときに手で握るためのハンドグリップが前記グリップ保持部に保持されており、
前記吸気口が前記グリップ保持部に設けられ、
前記通気路は、前記グリップ保持部が形成する小空間内に開口することにより前記吸気口と連通している請求項６に記載の電子装置。
【請求項１０】
前記ハンドグリップは、前記本体筐体の側面における上面側に偏った位置に配置されて前記グリップ保持部と結合し、
前記グリップ保持部において、前記本体筐体の底面側と前記ハンドグリップの結合部分との間には段差部が形成され、
前記グリップ保持部の底面側に前記第１吸気口が形成され、前記段差部に前記第２吸気口が形成された請求項９に記載の電子装置。
【発明の詳細な説明】
【技術分野】
【０００１】
本発明は、発熱する要素を含む電子装置、例えばＣＰＵ（中央処理装置）のような発熱要素を含むノート型パソコン（パーソナルコンピュータ）等の電子装置に関し、特に、発熱要素から放熱させるための放熱構造に関する。
【背景技術】
【０００２】
例えば、ノート型パソコンの場合、その性能向上と共にＣＰＵ等の発熱要素からの発熱量が増大している。そのため、従来の放熱装置の構成では放熱が不十分となり易く、放熱構造の高性能化が求められている。例えば、冷却ファンを用いた送風を利用する放熱構造の場合であれば、放熱フィンの形状や配置、冷却ファンとの相互関係等を最適化することが必要である。
【０００３】
また、ノート型パソコン等の、小型化の要求の強い電子装置の場合、冷却ファンや放熱フィンの配置は強い制約を受ける。こうした状況において、例えば、特許文献１には、図１９に示すような放熱構造を有するノート型パソコンが開示されている。
【０００４】
この放熱構造は、筐体３１の内部に隔壁３２により放熱室３３を区画し、放熱室３３内に放熱部材３４及び冷却ファン３５を配置することにより構成されている。図示を省略するが、放熱部材３４には、筐体３１の内部に配置された発熱部品の熱が伝熱部材により隔壁３２を貫通して伝達される。筐体３１は、放熱室３３及びそれに隣接する領域の下部が開放された形状を有する。放熱室３３に隣接する領域の下部は底部隔壁３６により封鎖されて、筐体３１内の放熱室３３以外の領域に収容された部品に対する液密が確保されている。
【０００５】
放熱室３３及び底部隔壁３６の下部を含む底面は、カバー３７により封鎖されている。カバー３７と底部隔壁３６の間には隙間Ｓが形成されている。筐体３１の側壁には、放熱室３３と連通する排気口３８が設けられ、カバー３７には吸気口３９が設けられている。筐体３１の底面側は、脚部４０により戴置面Ｆから間隔が設けられている。従って、放熱室３３は、隙間Ｓを経由し吸気口３９を介して、筐体３１の底面側の外気と連通している。冷却ファン３５を駆動することにより、吸気口３９を通じて外気が取り込まれ、放熱部材３４に向けて吐出され、排気口３８から排出される。
【先行技術文献】
【特許文献】
【０００６】
【特許文献１】特開２００７−３２４３３９号公報
【発明の概要】
【発明が解決しようとする課題】
【０００７】
特許文献１に開示された放熱構造は、筐体３１内の限られた空間を有効に用いて、コンパクトな放熱構造を形成するものであるが、十分にコンパクトにすることは困難である。何故ならば、筐体３１の底面壁から吸気を行なうために、筐体３１の底面壁の内側に底部隔壁３６を設けて外気の導入路を形成する必要があるためである。
【０００８】
更に、筐体３１における放熱室３３の領域では、剛性の低下は避けられない。何故ならば、放熱室３３を形成するために、筐体３１は、放熱室３３及びそれに隣接する領域の下部が開放された形状を有し、その底面が、カバー３７により封鎖されているためである。
【０００９】
一方、筐体の低面壁をそのまま維持して、吸気口あるいは排気口を設け、筐体内部に内部隔壁により放熱室を液密に形成することも考えられる。この場合は、放熱室と吸気口あるいは排気口との間を連通させる通気路が必要であり、その通気路を筐体内部に対して液密に構成する必要がある。また、筐体の側壁に吸気口あるいは排気口を設けることによる、筐体としての剛性の低下が問題となる場合もあり得る。
【００１０】
以上の事情に鑑みて、本発明は、冷却ファンが配置された放熱室が本体筐体の内部に対する液密性を確保して形成され、しかも本体筐体の剛性を十分に確保することが可能な放熱構造を備えた電子装置を提供することを目的とする。
【課題を解決するための手段】
【００１１】
本発明の電子装置は、発熱要素を含む電気部品が収容された本体筐体の内部に、隔壁によって他の内部空間に対して液密に区画された放熱室が形成され、前記放熱室内に、放熱部と前記放熱部に対して送風する冷却ファンが配置され、外気を前記放熱室内に導入する、前記本体筐体に設けられた吸気口と、前記隔壁に形成された吸気用通気孔と、前記吸気口と前記吸気用通気孔とを連通させる通風路、および、前記冷却ファンによる送風空気流を外部に排出する、前記本体筐体に設けられた排気口と、前記隔壁に形成された排気用通気孔とを備える。
【００１２】
上記課題を解決するために、本発明の電子装置は、前記通気路は、前記吸気用通気孔から前記本体筐体の側壁を貫通して前記本体筐体の外部まで延在し、かつ前記本体筐体の前記内部空間との間を封止壁により液密に封止して設けられ、前記通気路内には、その流路方向に延在させて設けられた板状のリブが、前記吸気用通気孔の横方向に複数本配列されて前記通気路を複数本の流路に分割していることを特徴とする。
【発明の効果】
【００１３】
上記構成によれば、本体筐体の内部と放熱室の間の液密性を確保しながら、本体筐体の剛性を十分に確保することができる。すなわち、放熱室を本体筐体の外部と連通させるための通気路が、板状のリブにより剛性の高い構造となるため、通気路を設けることによる剛性の低下を回避できるからである。
【図面の簡単な説明】
【００１４】
【図１】本発明の実施の形態１における電子装置の一例であるノート型パソコンの非使用状態を示す斜視図
【図２】同ノート型パソコンの使用状態を示す斜視図
【図３】同ノート型パソコンを図１の状態の裏面から見た斜視図
【図４】同ノート型パソコンの図３に示した状態における内部構造の概要を示す平面図
【図５】同ノート型パソコンの図４における一部を拡大して示す平面図
【図６】同ノート型パソコンの図５に示した部分を右斜め前から見た状態を示す斜視図
【図７】同ノート型パソコンの放熱室を本体筐体の外部に連通させるための通気路の一部を示す斜視図
【図８】同通気路の構造を示す平面図
【図９】同通気路の構造を示す斜視図
【図１０】同通気路の構造を図８におけるＡ−Ａ断面で示した斜視図
【図１１】同通気路の構造を図８におけるＢ−Ｂ断面で示した側面図
【図１２】同通気路の構造の水平面に沿った断面で示す斜視図
【図１３】同通気路の構造の図１１とは異なる水平面に沿った断面で示す斜視図
【図１４】同通気路の図９の裏面側から見た構造を、一部の部材を除去して示す平面図
【図１５】本発明の実施の形態２における電子装置の一例であるノート型パソコンの吸気口の周辺部を拡大して示す斜視図
【図１６】同吸気口の周辺部を図１５における左横方向から見た状態を示す断面図
【図１７】同吸気口の周辺部を図２に示された姿勢において見た状態を示す正面図
【図１８】実施の形態２における電子装置の他の例の一部を断面で示す平面図
【図１９】従来例の電子装置における放熱構造を示す断面図
【発明を実施するための形態】
【００１５】
本発明の電子装置は、上記構成を基本として、以下のような態様をとることができる。
【００１６】
すなわち、前記放熱室は前記本体部筐体の平面形状におけるコーナー部に設けられ、前記吸気口は前記コーナー部の一辺を形成する側壁部に配置され、前記排気口は前記吸気口が配置された辺と交差する辺を形成する側壁部に配置されている構成とすることができる。
【００１７】
また、前記放熱室を区画する前記隔壁は、前記本体筐体とは別体の隔壁部材により形成され、前記隔壁部材は、前記放熱室を包囲して閉鎖空間を形成している構成とすることができる。
【００１８】
また、前記放熱室を区画する前記隔壁の一部が、前記本体筐体を内方に延在させて形成されている構成とすることができる。
【００１９】
また、前記隔壁の少なくとも一面は、着脱自在に装着された蓋部材を含む構成とすることができる。
【００２０】
また、前記吸気口は、当該電子装置の使用時の戴置姿勢における前記本体筐体の底面または上面の何れかに設けられた第１吸気口と、前記本体筐体の側面に設けられた第２吸気口とを含む構成とすることができる。
【００２１】
また、前記第１吸気口は、前記本体筐体の底面から前記本体筐体の上面側に向かって傾斜した傾斜面部を含む構成することができる。
【００２２】
また、前記第２吸気口は、前記第１吸気口と連続している構成することができる。
【００２３】
また、前記本体筐体の一側壁に、互いに間隔を設けて配置され当該側壁の外側に小空間を形成するように突出している一対のグリップ保持部を備え、当該電子装置を持ち運ぶときに手で握るためのハンドグリップが前記グリップ保持部に保持されており、前記吸気口が前記グリップ保持部に設けられ、前記通気路は、前記グリップ保持部が形成する小空間内に開口することにより前記吸気口と連通している構成することができる。
【００２４】
また、前記ハンドグリップは、前記本体筐体の側面における上面側に偏った位置に配置されて前記グリップ保持部と結合し、前記グリップ保持部において、前記本体筐体の底面側と前記ハンドグリップの結合部分との間には段差部が形成され、前記グリップ保持部の底面側に前記第１吸気口が形成され、前記段差部に前記第２吸気口が形成された構成することができる。
【００２５】
以下、本発明の実施の形態について図面を参照しながら説明する。
【００２６】
（実施の形態１）
図１は、実施の形態１における電子装置の一例であるノート型パソコンの外観を示す斜視図である。このノート型パソコンは、本体筐体１、表示部筐体２、及びハンドグリップ３を有する。図１は、非使用状態を示すものである。使用状態における斜視図を図２に示す。この使用時の戴置姿勢における本体筐体１の上側を本体上面１ａと定義し、下側を本体底面１ｂと定義する。
【００２７】
本体筐体１は、ＣＰＵ、各種電気素子が実装された回路基板、ハードディスクドライブ、バッテリーなどを内蔵している。表示部筐体２は、画像、文字等を表示するための液晶ディスプレイ４を備えている。本体筐体１と表示部筐体２とは、ヒンジ５によって互いに回動自在に支持されている。本体上面１ａにはキーボード６とポインティングデバイス７が配置されている。
【００２８】
ポインティングデバイス７は、本体筐体１内に固定され、操作面が本体筐体１の表面に露出している。本体筐体１は、ノート型パソコンの堅牢性を維持するために、アルミニウム、マグネシウムなどの軽金属、あるいはこれらの合金で成型されることが望ましい。
【００２９】
本体筐体１の一側面に、一対のグリップ保持部８が形成されている。一対のグリップ保持部８は、互いに間隔を設けて配置され、本体筐体１の側面から隆起して凸部を形成している。ハンドグリップ３は、グリップ保持部８に結合されており、このノート型パソコンを持ち運ぶときに手で握るために使用される。
【００３０】
グリップ保持部８は、ハンドグリップ３と結合された結合部８ａ及び８ｂを有する。結合部８ａ、８ｂは、本体上面１ａ側に偏倚して形成され、他方のグリップ保持部８に向かって延在している。ハンドグリップ３は、この結合部８ａ、８ｂに結合されることにより、本体筐体１の側面において、本体上面１ａ側に偏った位置に支持されている。これにより、図１の戴置姿勢において、ハンドグリップ３と戴置面との間に間隙が形成され、ノート型パソコンを持ち運ぶときに手の指を挿入し易くなっている。また、ハンドグリップ３と結合部８ａ、８ｂとは相互に可動な状態に結合され、図２に示すように本体筐体１側に収容された状態と、図１に示すように本体筐体１から引き出された状態を取る事ができる。
【００３１】
このノート型パソコンを図１の状態から裏返した戴置姿勢における斜視図を、図３に示す。図１の戴置姿勢においてハンドグリップ３と戴置面との間に間隙が形成されるようにするために、グリップ保持部８における本体底面側と結合部８ａ、８ｂとの間に、段差部８ｃ及び８ｄがそれぞれ形成されている。また、図３における右側（結合部８ａの側、従って図１の左側）のグリップ保持部８には、後述する放熱構造の機能の一部を提供するために、第１吸気口９ａ及び第２吸気口９ｂが設けられている。
【００３２】
第１吸気口９ａは、グリップ保持部８における本体底面側に設けられ、従って、本体底面１ｂと並んでいる。第２吸気口９ｂは、段差部８ｃに設けられ、第１吸気口９ａと、コーナー部を形成する一辺９ｃを介して連続している。第１吸気口９ａ及び第２吸気口９ｂは、パンチングメタルにより形成され、その開口により通気性を確保する構造となっている。但し、第１吸気口９ａ及び第２吸気口９ｂは、本体筐体１の内部空間を直接開口させているのではない。つまり、グリップ保持部８は、本体筐体１の内部空間を形成する側壁の外側に小空間を形成しており、第１吸気口９ａ及び第２吸気口９ｂは、その小空間を外部空間に連通させている。
【００３３】
図３に示した戴置姿勢において本体筐体１の裏面をカバーする部分（本体底面１ｂ）が取り去られた状態を、図４に平面図で示す。但し、この図は、本実施の形態のノート型パソコンの内部構造の概要を説明するためのものであり、内部構造の一部のみが示されている。すなわち、本実施の形態は、冷却ファン１０に関連した構成に特徴があり、従って、冷却ファン１０の周囲の構造のみが具体的に示されている。冷却ファン１０の領域を拡大して図５に示す。
【００３４】
冷却ファン１０は、本体筐体１の内部を隔壁１１で区画することにより形成された放熱室１２に収容されている。放熱室１２は図４に示されるとおり、本体筐体１の平面形状におけるコーナー部に配置され、図に示されるような放熱室１２の側壁を形成するだけでなく、底面壁も形成している。すなわち、隔壁１１により、上面壁を除いた筐体が形成されている。隔壁１１の上面には、図１〜３に示した組み立て状態では上面蓋部材（不図示）が装着される。隔壁１１と蓋部材の組合わせにより、放熱室１２を包囲して閉鎖空間が形成される。但し、上面蓋部材は、本体底面１ｂを構成するカバー等、他の要素と一体に形成することもできる。
【００３５】
放熱室１２には放熱フィン１３が配置され、冷却ファン１０からの送風を受けるようになっている。図示しないが、放熱室１２にはＣＰＵから延在するヒートパイプの端部が配置されて、放熱フィン１３に接合されている。従って、ＣＰＵからの発熱がヒートパイプを介して放熱フィン１３に伝達され、放熱フィン１３が放熱部を形成している。なお、放熱部は、このように発熱要素からヒートパイプにより熱伝達を利用した、間接的な放熱を行う構成に限られない。すなわち、状況に応じて、発熱要素を放熱部に直接配置して、冷却ファンの送風により直接放熱させることもできる。すなわち、放熱部とは、発熱要素または、発熱要素からの熱が伝達される要素のいずれの場合も含む意味で用いられる。
【００３６】
隔壁１１は、放熱室１２と本体筐体１の内部との間での漏水を阻止するために、液密性を有するように構成されている。すなわち、冷却ファン１０とその駆動部との連結要素や、ヒートパイプ等は、隔壁１１を貫通して設置されているが、その貫通部は液密構造となっている。
【００３７】
放熱室１２が配置された本体筐体１の、グリップ保持部８が設けられた側面と直交する側の側面（図５の右側面）には、排気口１４が設けられている。この面の側から見た斜視図を図６に示す。排気口１４も放熱室１２内と連通しており、放熱フィン１３に送風された冷却ファン１０からの空気流が、排気口１４から排出される。
【００３８】
後述するように、放熱室１２の隔壁１１の側部には、第１、第２吸気口９ａ、９ｂ及び排気口１４と連通する通気孔が設けられている。吸気側では、その通気孔から始まる通気路が、グリップ保持部８内の小空間に亘って形成されている。従って、冷却ファン１０は、第１、第２吸気口９ａ、９ｂから通気路を経由する通気構造を介して外気を導入し、排気口１４に向けて送風する。通気路は、後述するような漏水を防止する封止構造により、本体筐体１の内部空間に対して液密に封止されている。
【００３９】
上記通気路の構造について、図７〜図１４を参照して説明する。図７は、放熱室１２の内部側から見た通気路１５を示す斜視図である。但し、図の理解し易さを考慮して、放熱室１２内に配置された冷却ファン１０等の要素は除去されている。隔壁１１には、排気口１４に対応する側部に排気用通気孔１１ａが設けられるとともに、第１、第２吸気口９ａ、９ｂに対応する側部には、吸気用通気孔１１ｂが設けられている。
【００４０】
吸気用通気孔１１ｂは、通気路１５の一端が放熱室１２内に開口して形成されており、横長である。通気路１５内には、その流路方向に延在する板状のリブ１６が、複数本設けられている。リブ１６は板面の方向を縦（垂直）方向に向けて、吸気用通気孔１１ｂの長手方向（横方向）に複数本配列されている。これにより、通気路１５は、流路方向に直交する断面が、吸気用通気孔１１ｂの長手方向（横方法）において、複数本の流路に分割されている。リブ１６は、隔壁１１の面に直交する方向に延びて本体筐体１の側壁１ｃを貫通している。放熱室１２の隔壁１１と本体筐体１の側壁１ｃの間では、リブ１６の上部は、中間封止壁１７及び上部封止壁１８を含む封止構造により覆われて、通気路１５は、本体筐体１の内部空間との間で液密に封止されている。
【００４１】
図８〜図１０を参照して、通気路１５の本体筐体１側の構造について説明する。図８は、図５から、放熱室１２内に配置された冷却ファン１０等の要素、及びグリップ保持部８の上部構造が除去された状態を示す平面図、図９は、同斜視図である。図１０は、図８におけるＡ−Ａ断面、すなわち、上部封止壁１８の部分の構造を示す斜視図である。
【００４２】
図８、図９には明確には図示されていないが、図１０に示されるように、複数のリブ１６は、本体筐体１の側壁１ｃを貫通し、側壁１ｃの外側まで延在している。これにより、通気路１５は、吸気用通気孔１１ｂから本体筐体１の外部に亘って形成されている。リブ１６の上部の封止構造を形成する中間封止壁１７及び上部封止壁１８は、本体筐体１の底面１９（図１の姿勢では上面になる）から所定の高さに位置し、通気路１５はその下部に形成されている。図８におけるＢ−Ｂ断面、すなわち、中間封止壁１７の部分における構造を図１１に側面図で示す。
【００４３】
中間封止壁１７及び上部封止壁１８は、一方で放熱室１２の隔壁１１と結合し、他方で本体筐体１の側壁１ｃと結合している。中間封止壁１７及び上部封止壁１８と底面１９との間の段差部、及び中間封止壁１７と上部封止壁１８の間の段差部は、それらの封止壁が連続した壁面により封鎖されている。このようにして、通気路１５と本体筐体１の内部空間との間での漏水を防止する封止構造が形成されている。
【００４４】
図１１に示されるように、本体筐体１の側壁１ｃの外側に延在したリブ１６は、側壁１ｃに沿って通気路１５よりも高い位置に達している。この部分の複数のリブ１６の間に、吸気連絡孔２０が形成されている。これにより、通気路１５は、通気路１５から吸気連絡孔２０を経由して、図１１における上方に配置された第１、第２吸気口９ａ、９ｂ（図６等参照）と連通している。なお、グリップ保持部８に設けられた第１、第２吸気口９ａ、９ｂを介して外気に通じる構造は必須ではない。すなわち、吸気連絡孔２０を、外部に対する吸気口として機能させることもできる。
【００４５】
上部封止壁１８は、中間封止壁１７よりも底面１９からの高さが高い。従って、図１２に示す、上部封止壁１８と中間封止壁１７の間の水平面で切断した断面では、上部封止壁１８の下部の領域でのみ通気路１５が露出する。図１３に示す、中間封止壁１７と底面１９との間の水平面で切断した断面では、全ての領域において通気路１５が露出している。
【００４６】
通気路１５の構造を更に理解し易いように、図８〜図１３に示した構造の裏面側から見た状態を、図１４に平面図で示す。これらの図によれば、複数のリブ１６が、放熱室１２の吸気用通気孔１１ｂから本体筐体１の側壁１ｃを貫通し、吸気連絡孔２０の下部に至っていることが判る。なお、図１４は、通気路１５の構造を示すために通気路１５の下部が開放された状態で示されているが、装置の完成時には所定の板状部材により封鎖される。
【００４７】
以上のとおり、本実施の形態における電子装置の特徴は、吸気用通気孔１１ｂから本体筐体１の側壁１ｃを貫通して延在し、放熱室１２内と吸気口９ａ、９ｂを連通させる通気路１５が、本体筐体１の内部空間との間を封止壁１７、１８により液密に封止して設けられること、及び通気路１５内には、その流路方向に延在させて設けられた板状のリブ１６が、吸気用通気孔１１ｂの横方向に複数本配列されて、通気路１５を複数本の流路に分割していることである。
【００４８】
この構成を採用することにより、本体筐体１の内部と放熱室１２の間の液密性を確保しながら、本体筐体１の剛性を十分に確保することができる。すなわち、放熱室１２を本体筐体１の外部と連通させるための通気路１５が、板状のリブ１６により剛性の高い構造となるため、通気路１５を設けることによる剛性の低下を回避できるからである。
【００４９】
なお、本実施の形態では、ノート型パソコンを電子装置の一例として説明したが、冷却ファンにより放熱させることを必要とする発熱要素を備えた種々の電子装置について、本発明の構成を同様に適用して、同様の効果を得ることが可能である。
【００５０】
（実施の形態２）
実施の形態２における電子装置の一例であるノート型パソコンについて、図１５〜図１７を参照して説明する。但し、本実施の形態のノート型パソコンは、図１〜図１４を参照して説明した実施の形態１のノート型パソコンと同様の構成を有するので、実施の形態１の図面も一部参照して説明を行なう。本実施の形態の特徴は、図３、図５等にも示されているが、放熱構造を構成する吸気口が、第１吸気口９ａ及び第２吸気口９ｂを含むことである。本実施の形態では、第１吸気口９ａと第２吸気口９ｂが、コーナー部を形成する一辺９ｃを介して連続する構成とした。
【００５１】
図１５は、図３の戴置姿勢におけるグリップ保持部８を拡大して示す斜視図である。このように、冷却ファン１０による送風用の空気を外部から導入するための吸気口が、第１吸気口９ａ及び第２吸気口９ｂから構成されていることにより、吸気を確実に行なうことができる。すなわち、例えば第１吸気口９ａのみが設けられている構成では、本体底面１ｂが布などで覆われてしまった場合、十分な吸気を行うことができなくなる。これに対して、本体底面１ｂとは異なる面に第２吸気口９ｂが配置されていることにより、第２吸気口９ｂからの吸気が確保されて、十分な吸気を行うことができる。
【００５２】
吸気口を本体筐体１の複数の面に配置することは、排気口の場合に比べて重要度が高い。何故ならば、排気口の場合は、排気口が布のようなもので塞がれたとしても、圧力により空気が噴出されるので、布のようなものを遠ざけることができ、排気を確保することが可能である。これに対して、吸気口の場合は空気を吸込むため、布のようなもので塞がれた場合、圧力は布を付着させるように作用して、吸気が不可能になる。
【００５３】
第１吸気口９ａは、本体底面１ｂから本体上面１ａ側に向かって傾斜した傾斜面部を含むことが望ましい。図１５には、第１吸気口９ａがそのように傾斜している構造が示されているが、要部を拡大した図１６、図１７により更に明確に示す。図１６は、図１５における横方向に見た状態、すなわち、グリップ保持部８の段差部８ｃに向かう方向に見た状態を示す断面図である。第１吸気口９ａが本体底面１ｂから本体上面１ａ側に向かって傾斜していることがよく判る。
【００５４】
第１吸気口９ａがこのように傾斜していることにより、図２に示した使用時の戴置姿勢において、第１吸気口９ａと戴置面（例えば机の上面）との間に間隙が形成される。図１７にそのような状態を示す。同図は、図２における一部を拡大して示した正面図である。このような傾斜した隙間の存在により、例えば机上等の通常の強度を備える平面状に載置する場合等には第１吸気口９ａは塞がれ難くなり、吸気の機能を十分に果たすことが可能である。更に、第２吸気口も設けられているので、吸気が不十分になる可能性が十分に低減される。
【００５５】
以上のように、本実施の形態は、放熱構造における吸気口が、ノート型パソコン等の電子装置の使用時の戴置姿勢における、本体筐体の底面または上面の何れかに設けられた第１吸気口と、本体筐体の側面に設けられた第２吸気口とを含むことを特徴とする。これによれば、吸気口が本体筐体の複数の面に配置されているので、１つの面の吸気口が布などで覆われてしまった場合でも、他の面の吸気口により十分な吸気が確保される。従って、放熱部への送風が安定して行われ、常に効果的な放熱を行うことが可能である。
【００５６】
なお、本実施の形態では、ノート型パソコンを電子装置の一例として説明したが、冷却ファンにより放熱させることを必要とする発熱要素を備えた種々の電子装置について、本発明の構成を同様に適用して、同様の効果を得ることが可能である。ノート型パソコン以外の種々の電子装置に本発明を適用する場合を考慮すると、複数の吸気口の配置は、より多くの態様があり得る。
【００５７】
例えば、図１８に示すような構成も考えられる。この電子装置においては、本体筐体２１の１つのコーナーに、突出部２２が設けられ、冷却ファン２３が配置されている。その他の要素の図示は省略する。冷却ファン２３に面した、本体筐体２１の２つの面に、第１吸気口２４ａ、及び第２吸気口２４ｂがそれぞれ設けられている。この構成では、第１吸気口２４ａ、及び第２吸気口２４ｂは、ともに本体筐体２１の側面に設けられているが、それぞれの面の角度が互いに相違している。従って、一方が塞がれても、他方から吸気される可能性を高めることができる。
【００５８】
以上の実施の形態において、冷却ファンからの空気流を排出するために、本体筐体に明確な排気口を設けることは、電子装置の態様によっては必須ではない。例えば、放熱部が装置内で開放されている場合であれば、本体筐体に存在する隙間を通って、十分に排気される場合もあるからである。本発明における排気口とは、そのような場合の本体筐体に存在する隙間等の、実質的に排気口として機能するものも含む意味として定義される。本発明の本質は、吸気口の構成にあり、その作用効果は、排気口の構成には影響されないからである。
【産業上の利用可能性】
【００５９】
本発明の電子装置によれば、本体筐体の内部に対する液密性を確保し、しかも筐体の剛性を十分に確保することが可能な放熱構造が構成されるので、ノート型パソコン等に有用である。
【符号の説明】
【００６０】
１、２１、３０  本体筐体
１ａ  本体上面
１ｂ  本体底面
１ｃ  側壁
２  表示部筐体
３  ハンドグリップ
４  液晶ディスプレイ
５  ヒンジ
６  キーボード
７  ポインティングデバイス
８  グリップ保持部
８ａ、８ｂ  結合部
８ｃ、８ｄ  段差部
９ａ、２４ａ  第１吸気口
９ｂ、２４ｂ  第２吸気口
９ｃ  コーナー部
１０、２３、３２  冷却ファン
１１、３０ａ  隔壁
１１ａ  排気用通気孔
１１ｂ  吸気用通気孔
１２  放熱室
１３  放熱フィン
１４  排気口
１５  通気路
１６  リブ
１７  中間封止壁
１８  上部封止壁
１９  底面
２０  吸気連絡孔
２２  突出部
３１  切欠き部
３３  蓋部材
３３ａ  通気孔
【図１】
0005597527.tif 000002
【図２】
0005597527.tif 000003
【図３】
0005597527.tif 000004
【図４】
0005597527.tif 000005
【図５】
0005597527.tif 000006
【図６】
0005597527.tif 000007
【図７】
0005597527.tif 000008
【図８】
0005597527.tif 000009
【図９】
0005597527.tif 000010
【図１０】
0005597527.tif 000011
【図１１】
0005597527.tif 000012
【図１２】
0005597527.tif 000013
【図１３】
0005597527.tif 000014
【図１４】
0005597527.tif 000015
【図１５】
0005597527.tif 000016
【図１６】
0005597527.tif 000017
【図１７】
0005597527.tif 000018
【図１８】
0005597527.tif 000019
【図１９】
0005597527.tif 000020